(57)【要約】【課題】  包装箱の破断を伴なわずに、フィルムと包装箱を同時に開封可能にし、開封操作力を軽減し、かつ包装箱の一部が破断による廃棄物となることのない包装体を提供すること。【解決手段】  該包装箱１０をフィルム２０により包装してなる包装体１００であって、前記包装箱１０における蓋板１５の差込フラップ１６が内側に差込まれる側板１１のうち、該差込フラップ１６の一部に対応する部分に抉り部３０が設けられ、前記フィルム２０のうち、包装箱１０の上記抉り部３０に対応する部位又はその近傍に、フィルム２０の外面側からの押込み操作で引き裂かれる脆弱部４０を形成してなるもの。【選択図】  図１
2015117039.tif 000002
【特許請求の範囲】
【請求項１】
包装箱の開口部を開閉する蓋板が該包装箱の相対する２つの側板の一方に連設され、該蓋板の先端に連設された差込フラップが該包装箱の上記２つの側板のうちの他方の内側に差込まれ、該包装箱をフィルムにより包装してなる包装体であって、
前記包装箱における蓋板の差込フラップが内側に差込まれる側板のうち、該差込フラップの一部に対応する部分に抉り部が設けられ、
前記フィルムのうち、包装箱の上記抉り部に対応する部位又はその近傍に、フィルムの外面側からの押込み操作で引き裂かれる脆弱部を形成してなる包装体。
【請求項２】
前記包装箱の側板に設けられた抉り部が対応する蓋板の差込フラップの表面に、開封部を示す表記が付されてなる請求項１に記載の包装体。
【請求項３】
前記フィルムに形成される脆弱部が抉り部を挟む左右両側に形成され、左右の脆弱部のパターンを互いに左右非対称にし、押込み操作によりフィルムに付与される応力が左右片側の脆弱部に集中する構造とした請求項１又は２に記載の包装体。
【請求項４】
前記蓋板の差込フラップが包装箱の側板に設けられた抉り部に対応する付近で、該包装箱に内包される内容物に相対する該差込フラップにおける押込まれ部の差込み方向に沿う長さａと、当該押込まれ部の内容物との係り代ｂとを、
【数２】
2015117039.tif 000004
に設定されてなる請求項１〜３の何れかに記載の包装体。
【請求項５】
前記蓋板の差込フラップにおいて包装箱の側板に設けられた抉り部に対応する付近ではない非押込まれ部が差込み方向に沿う長さＬを、前記長さａより長くし、当該非押込まれ部の内容物との係り代ｋを確保してなる請求項４に記載の包装体。
【発明の詳細な説明】
【技術分野】
【０００１】
本発明は、包装体に関する。
【背景技術】
【０００２】
従来、１個箱からなる包装体の不正開封防止又は汚れ防止として、包装箱をフィルムで密封包装するものがあるが、包装体の開封時にフィルムの開封部を爪等により引き裂いて開封しようとするときに、爪等が開封部に引っ掛かりにくかったり、大きな引き裂き力が必要になる等の不都合があった。
【０００３】
それに対し、特許文献１に記載の包装体には、蓋の封緘を押込み操作によって破断除去する開封操作部を包装箱に備えるとともに、フィルムのうち、包装箱の開封操作部に対応する部位又はその近傍に、開封操作部に対するフィルムの外面側からの押込み操作で引き裂かれる脆弱部を形成したものが提案されている。包装体の開封時に、フィルムの一部を脆弱にし、その部分に指を押し当てることで、フィルムの破断と包装箱の破断を同時に行なえるようにしたものである。
【先行技術文献】
【特許文献】
【０００４】
【特許文献１】特許第４１１６８７９号公報
【発明の概要】
【発明が解決しようとする課題】
【０００５】
特許文献１に記載の包装体には以下の問題点がある。
(1)包装体の開封時に、フィルムと包装箱の両者を同時に破断するものであり、必要とされる開封操作力が大きい。
【０００６】
(2)包装箱から破断除去される開封操作部が包装箱から分離して散らかったり廃棄物となり、それらの分離された開封操作部と包装物の取扱いにわずらわしさを生じたり、もしくは開封操作部が破断されても包装箱から分離しないように該開封操作部を該包装箱に接着剤等で固定する必要がある。
【０００７】
本発明の課題は、フィルムにより包装された包装箱を容易に開封可能にし、かつ包装箱の一部が破断による廃棄物となることのない包装体を提供することにある。
【課題を解決するための手段】
【０００８】
請求項１に係る発明は、包装箱の開口部を開閉する蓋板が該包装箱の相対する２つの側板の一方に連設され、該蓋板の先端に連設された差込フラップが該包装箱の上記２つの側板のうちの他方の内側に差込まれ、該包装箱をフィルムにより包装してなる包装体であって、前記包装箱における蓋板の差込フラップが内側に差込まれる側板のうち、該差込フラップの一部に対応する部分に抉り部が設けられ、前記フィルムのうち、包装箱の上記抉り部に対応する部位又はその近傍に、フィルムの外面側からの押込み操作で引き裂かれる脆弱部を形成してなるようにしたものである。
【発明の効果】
【０００９】
本発明によれば、フィルムにより包装された包装箱を容易に開封可能にし、かつ包装箱の一部が破断による廃棄物となることのない包装体を得ることができる。
【図面の簡単な説明】
【００１０】
【図１】図１は包装体を示す模式斜視図である。
【図２】図２は包装箱の開蓋状態を示す模式斜視図である。
【図３】図３は脆弱部の変形例を示す模式図である。
【図４】図４は包装箱の抉り部とフィルムの脆弱部を示す模式図である。
【図５】図５は包装箱の抉り部とフィルムの脆弱部の変形例を示す模式図である。
【図６】図６は差込フラップと内容物との係り代を示す模式図である。
【図７】図７は差込フラップと内容物との係り代の変形例を示す模式図である。
【発明を実施するための形態】
【００１１】
以下本発明を、その好ましい実施形態に基づき図面を参照しながら説明する。
図１に示す包装体１００は、化粧品、医薬品、食品等の内容物を包装箱１０に内包し、この包装箱１０をフィルム２０により包装したものである。
【００１２】
包装箱１０は、図１、図２に示す如く、四角筒状の箱本体１０Ａと、箱本体１０Ａの上端の開口部Ｒを開閉する蓋１０Ｂと、箱本体１０Ａの下端の開口部を閉じる底（不図示）とを有する。箱本体１０Ａは、前後方向で相対する前側板１１及び後側板１２と、左右方向で相対する左側板１３及び右側板１４とから構成される。蓋１０Ｂは、後側板１２の上縁部に連設される蓋板１５及び該蓋板１５の先端縁部に連設される差込フラップ１６と、左側板１３と右側板１４の各上縁部に連設される左右の蓋フラップ１７、１８とから構成される。包装箱１０にあっては、両蓋フラップ１７、１８を開口部Ｒの側に折り込み、蓋板１５を折り込まれた両蓋フラップ１７、１８の上に折り重ねて開口部Ｒを開閉可能にし、差込フラップ１６を前側板１１の内側に差込んで蓋板１５による閉じ状態を維持する。
【００１３】
フィルム２０は、図１に示す如く、一般のシュリンク包装に使用される熱収縮性の剛性樹脂フィルムを用いることができる。フィルム２０は、包装箱１０の全面を覆った状態で接合される合わせ目の全てがヒートシールされる。ヒートシール時の加熱処理又はヒートシール後の加熱処理に伴なって熱収縮性フィルムに生ずる収縮作用により、包装箱１０の全面に密着状態となって密封包装する。
【００１４】
包装体１００にあっては、包装箱１０における蓋板１５の差込フラップ１６が内側に差込まれる前側板１１のうち、該差込フラップ１６の一部に対応する部分に抉り部３０が設けられる。本実施例では、抉り部３０が、前側板１１のうち、差込フラップ１６が前側板１１の内側に向けて差込まれる差込方向に対して直交する、該差込フラップ１６の幅方向における中央部に対応する部分、換言すれば該前側板１１の上縁部の中央部分に位置し、この中央部分を弦とする半月状部分を切欠かれて形成される。抉り部３０は、半月状に限らず、四角状、三角状等、いかなる輪郭をなすものでも良い。
【００１５】
また、包装体１０にあっては、フィルム２０のうち、包装箱１０の上記抉り部３０に対応する部位又はその近傍に、フィルム２０の外面側からの使用者の指による押込み操作で容易に引き裂かれる脆弱部４０が形成される。脆弱部４０は、ミシン目等により形成でき、例えば抉り部３０を挟む左右両側の脆弱部４１、４２、及び抉り部３０の下方で左右脆弱部４１、４２の下端同士をつなぐ下側脆弱部４３等から構成できる。左右両側の脆弱部４１、４２は、包装箱１０の上下方向に延び、下側脆弱部４３は包装箱１０の左右方向に延びている。
【００１６】
フィルム２０に形成される脆弱部４０は差込フラップ１６の下端１６Ｌよりも上側に位置することが好ましい。押込み操作によって蓋板１５及び蓋フラップ１６とフィルム２０を同時に開封するのに、差込フラップ１６が長い方が差込フラップ１６に作用する開封力が大きくなる。
【００１７】
尚、脆弱部４０は、左右両側の脆弱部４１、４２の各下端が下側脆弱部４３の両端と交差するものに限らず、図３に示す如くの各種形態を採用できる。図３（Ａ）は左右両側の脆弱部４１、４２の各下端が下側脆弱部４３の両端よりも下方に延在してなる脆弱部４０を示し、図３（Ｂ）は下側脆弱部４３の両端が左右両側の脆弱部４１、４２の各下端より左右両側に長く延在してなる脆弱部４０を示し、図３（Ｃ）は左右両側の脆弱部４１、４２の中間部と下側脆弱部４３とが交差してなる脆弱部４０を示す。また、脆弱部４０は、図３（Ｄ）に示す如く、左右両側の脆弱部４１、４２の間に、それらの脆弱部４１、４２と平行をなす複数本の脆弱部４０Ｌを備え、下側脆弱部４３を備えないものであっても良い。
【００１８】
また、ミシン目以外の脆弱部形成方法として、ハーフカット、ブラシによる擦過傷の形成やエンボス加工などの表面に微細凹凸を設ける方法等が挙げられる。
【００１９】
包装箱１０の前側板１１に抉り部３０を設け、フィルム２０に脆弱部４０を設けた包装体１００にあっては、その開封時に、包装箱１０の抉り部３０に対応するフィルム２０を外面側から押込み操作するワンアクションで、フィルム２０の脆弱部４０が引き裂かれ、同時に抉り部３０の中の差込フラップ１６に指がかかり、この差込フラップ１６を包装箱１０の内方に押込みつつ包装箱１０の前側板１１の内側から直ちに引き出し、差込フラップ１６が連設している蓋板１５を包装箱１０の開口部Ｒから開封できる。使用者の押込み操作でフィルム２０の脆弱部４０を破断するものの、包装箱１０を破断するものでないから、この押込みの開封操作力を軽減できる。
【００２０】
また、包装体の開封時に、包装箱１０を破断するものでないから、包装箱１０の一部が破断による廃棄物となることがない。包装箱１０の破断部分が廃棄物とならないように該破断部分を接着剤等で包装箱１０に固定する必要もないし、この破断部分を捕える手作業がワンアクションの開封操作性を阻害することもない。
【００２１】
ここで、包装体１００にあっては、前記包装箱１０の前側板１１に設けられた抉り部３０が対応する、蓋板１５における差込フラップ１６の表面に、開封部を示す表記Ａが付されることが好ましい。使用者は開封部の表記Ａに誘導され、開封のための押込み操作をこの表記Ａの部分に対してスムーズに行なうことができる。
【００２２】
更に、包装体１００にあっては、フィルム２０に形成される脆弱部４０が包装箱１０の前側板１１に設けられる抉り部３０の左右両側に形成されるとき、左右の脆弱部４１、４２のパターンを互いに左右非対称にし、押込み操作によりフィルム２０に付与される応力が左右片側の脆弱部４０、例えば右脆弱部４２に集中する構造とすることが好ましい。例えば、左右の脆弱部４１、４２のミシン目のパターンを、図４（Ａ）に示す如く、片側の右脆弱部４２の相隣るミシン目の間隔がより小さくなるようにし、右脆弱部４２をより脆弱にして該右脆弱部４２への応力の集中を引き起こす構造とする。また、左右の脆弱部４１、４２のミシン目のパターンを、図４（Ｂ）に示す如く、一方の左脆弱部４１のミシン目を１行とし、他方の右脆弱部４２のミシン目を２行又は３行以上とすることにより、右脆弱部４２をより脆弱にして該右脆弱部４２への応力の集中を引き起こす構造とする。これにより、押込みの開封操作力を一時に左右の脆弱部４１、４２の全域に分散させて及ぼすことなく、先に左右片側の脆弱部４２に及ぼして軽い力でこれを引き裂き、この引き裂きをきっかけとして残余の脆弱部４１に簡易に引き裂き範囲を拡げるものになり、押込みの開封操作力を一層軽減できる。
【００２３】
また、包装体１００にあっては、抉り部３０の左右両側に形成された左右の脆弱部４１、４２の上端同士をつなぐ上側脆弱部４４を形成したり（図５（Ａ））、左右の脆弱部４１、４２の各上端部から前側板１１の上縁部に沿って抉り部３０から離隔する方向へ延びる上側脆弱部４５を形成しても良い（図５（Ｂ））。これにより、押込み操作で引き裂かれる脆弱部４０（左右の脆弱部４１、４２、上側脆弱部４４、４５）から始まるフィルム２０の引き裂き領域が包装箱１０における蓋板１５の周辺に及ぶことを促進させ、この押込み操作による箱本体１０Ａからの差込フラップ１６の引き出し、蓋板１５を開封するための押込み操作力を一層軽減できる。
【００２４】
また、包装体１００にあっては、図６に示す如く、包装箱１０の蓋板１５に設けた差込フラップ１６が前側板１１に設けられた抉り部３０に対応する付近で、包装箱１０に内包されている内容物Ｐに相対する該差込フラップ１６における押込まれ部１６Ａ（抉り部３０の範囲内で使用者の指によって押込まれる部分）の該差込方向に沿う長さａと、該押込まれ部１６Ａの内容物Ｐとの係り代ｂとを
【数１】
2015117039.tif 000003
に設定した。即ち、ｂの絶対値が（1/2）ａ以下となる。ｂがプラスの値であれば、押込まれ部１６Ａが内容物Ｐと係合可能になるものの、この係り代ｂが（1/2）ａ以下であれば、開封のための押込み操作により包装箱１０の内方に押込まれる差込フラップ１６における押込まれ部１６Ａの変位が内容物Ｐとの干渉によって妨げられることがなく、差込フラップ１６を該包装箱１０の前側板１１の内側から直ちに引き出しでき、ワンアクションの開封操作性を向上できる。他方、ｂがマイナスの値であれば、内容物Ｐが押込まれ部１６Ａの変位を妨げることがない上に、この係り代ｂを（1/2）ａ以下とすることにより、包装箱１０における内容物Ｐの上方空間容積が過大になることを回避し、包装箱１０の大きさを適切なものとして経済性を向上できる。
【００２５】
尚、内容物Ｐは、トレー等に配置されて包装箱１０に収容されているため、包装箱１０内においてその位置がずれ難いようになっている。トレー等を用いていない場合、又はトレーを用いても内容物Ｐが包装箱１０内において位置が変化する場合には、上記係り代ｂは、内容物Ｐを包装箱１０の底部に位置させた状態で設定する。
【００２６】
また、包装体１００にあっては、図７に示す如く、包装箱１０の蓋板１５に設けた差込フラップ１６において、包装箱１０の前側板１１に設けられた抉り部３０に対応する付近ではない非押込まれ部１６Ｂ（使用者の指によって押込まれない部分）が差込み方向に沿う長さＬを、前記押込まれ部１６Ａの長さａより長くし、該非押込まれ部１６Ｂの内容物Ｐとの係り代ｋを確保可能にした。これにより、開封前に、差込フラップ１６はその非押込まれ部１６Ｂが係り代ｋの範囲で確実に内容物Ｐに支持され、包装箱１０の内方へ入り込むことがない。これにより、透明フィルム２０と包装箱１０の抉り部３０を介して外方から視認され得る差込フラップ１６を前側板１１の内側に当接位置せしめ、包装体１００の外観性を向上できる。
【００２７】
以上、本発明の実施例を図面により詳述したが、本発明の具体的な構成はこの実施例に限られるものではなく、本発明の要旨を逸脱しない範囲の設計の変更等があっても本発明に含まれる。
【００２８】
尚、包装箱１０は左右の蓋フラップ１７、１８を備えることを必須としない。
また、フィルム２０は包装箱１０の全面を被覆することを必須としない。
【産業上の利用可能性】
【００２９】
本発明によれば、包装箱の破断を伴なわずに、フィルムと包装箱を同時に開封可能にし、開封操作力を軽減し、かつ包装箱の一部が破断による廃棄物となることのない包装体を得ることができる。
【符号の説明】
【００３０】
１０  包装箱
１１  前側板
１２  後側板
１５  蓋板
１６  差込フラップ
１６Ａ  押込まれ部
１６Ｂ  非押込まれ部
２０  フィルム
３０  抉り部
４０、４１、４２、４３、４４、４５  脆弱部
ａ  長さ
ｂ  係り代
Ｌ  長さ
ｋ  係り代
Ａ  開封部を示す表記
Ｐ  内容物
Ｒ  開口部
【図１】
2015117039.tif 000005
【図２】
2015117039.tif 000006
【図３】
2015117039.tif 000007
【図４】
2015117039.tif 000008
【図５】
2015117039.tif 000009
【図６】
2015117039.tif 000010
【図７】
2015117039.tif 000011